(57)【要約】【課題】建物ユニットの床梁切除面で、相対する柱の柱脚の基礎に対する固定構造を強化し、床梁切除面に沿う水平力に対する強度を向上すること。【解決手段】建物ユニット１の基礎固定構造において、床梁切除面２で相対する柱１０の各柱脚に設けられている床梁小片４０と、該床梁小片４０に交差するように当該柱脚に設けられている床梁２０とを基礎３に接合し、それらの床梁小片４０と床梁２０の上下のフランジを開き止めの補強板４４、４５、２４でつないだもの。【選択図】  図１
2004156352.tif 000002
【特許請求の範囲】
【請求項１】
柱と床梁の骨組構造体からなり、相対する２本の柱をそれぞれ含む複数の面のうちの少なくとも１つの面を床梁切除面とし、床梁切除面で相対する柱の各柱脚に床梁小片を突設し、床梁と床梁小片をＣ形鋼にて形成してなる建物ユニットの基礎固定構造において、
床梁切除面で相対する柱の各柱脚に設けられている床梁小片と、該床梁小片に交差するように当該柱脚に設けられている床梁とを基礎に接合し、それらの床梁小片と床梁の上下のフランジを開き止めの補強板でつないだことを特徴とする建物ユニットの基礎固定構造。
【請求項２】
前記床梁小片の端面に端板を接合した請求項１に記載の建物ユニットの基礎固定構造。
【請求項３】
請求項１又は２に記載の基礎固定構造を備えた建物ユニットであって、引込玄関又は車庫を構成する建物ユニット。
【発明の詳細な説明】
【０００１】
【発明の属する技術分野】
本発明は建物ユニットの基礎固定構造に関する。
【０００２】
【従来の技術】
特許文献１に記載の如く、車庫用の建物ユニットとして、柱と床梁と天井梁の骨組構造体からなり、相対する２本の柱をそれぞれ含む複数の面のうちの少なくとも１つの面を床梁切除面とし、床梁切除面で相対する柱の各柱脚に床梁小片を突設してなるものがある。この建物ユニットでは、床梁切除面で相対する柱の柱脚を基礎に固定する構造として、該柱脚に交差状に設けられている床梁小片と床梁のうち、一方の床梁小片だけを基礎に接合している。
【０００３】
【特許文献１】
特開平８−６８２２２（［００２５］、図２）
【０００４】
【発明が解決しようとする課題】
建物ユニットの床梁切除面で、相対する柱の柱脚の基礎に対する固定を、床梁小片だけによっているから、床梁切除面に沿う水平力に対する強度の向上が望まれる。特に、この建物ユニットを引込玄関や車庫に用いる場合には、床梁切除面が出入口としての開口になり、サブラーメン等の補強部材を付加できず、独自の補強が必要とされる。
【０００５】
本発明の課題は、建物ユニットの床梁切除面で、相対する柱の柱脚の基礎に対する固定構造を強化し、床梁切除面に沿う水平力に対する強度を向上することにある。
【０００６】
【課題を解決するための手段】
請求項１の発明は、柱と床梁の骨組構造体からなり、相対する２本の柱をそれぞれ含む複数の面のうちの少なくとも１つの面を床梁切除面とし、床梁切除面で相対する柱の各柱脚に床梁小片を突設し、床梁と床梁小片をＣ形鋼にて形成してなる建物ユニットの基礎固定構造において、床梁切除面で相対する柱の各柱脚に設けられている床梁小片と、該床梁小片に交差するように当該柱脚に設けられている床梁とを基礎に接合し、それらの床梁小片と床梁の上下のフランジを開き止めの補強板でつないだものである。
【０００７】
請求項２の発明は、請求項１の発明において更に、前記床梁小片の端面に端板を接合したものである。
【０００８】
請求項３の発明は、請求項１又は２に記載の基礎固定構造を備えた建物ユニットであって、引込玄関又は車庫を構成する建物ユニットである。
【０００９】
【作用】
請求項１の発明によれば下記▲１▼〜▲３▼の作用がある。
▲１▼建物ユニットの床梁切除面で、相対する柱の柱脚の基礎に対する固定を、該柱脚に交差状に設けられている床梁小片と床梁の両方において行なうことにより、該柱脚の基礎に対する固定構造が強化される。
【００１０】
▲２▼上述▲１▼の基礎に固定される床梁小片と床梁の上下のフランジを開き止めの補強板でつないだことにより、床梁小片と床梁の断面強度が補強され、該柱脚の基礎に対する固定構造が一層強化される。
【００１１】
▲３▼上述▲１▼、▲２▼により、建物ユニットの床梁切除面に沿う水平力に対する強度が向上する。
【００１２】
請求項２の発明によれば下記▲４▼の作用がある。
▲４▼上述▲１▼の基礎に固定される床梁小片の端面に端板を接合したことにより、床梁小片の断面強度が補強され、該柱脚の基礎に対する固定構造が一層強化される。
【００１３】
請求項３の発明によれば下記▲５▼の作用がある。
▲５▼建物ユニットを引込玄関や車庫に用い、床梁切除面を出入口としての開口とするとき、該床梁切除面にサブラーメン等の補強部材を付加できなくても、上述▲１▼、▲２▼、▲４▼により、該建物ユニットの構造耐力を向上できる。
【００１４】
【発明の実施の形態】
図１は建物ユニットを示し、（Ａ）は全体模式斜視図、（Ｂ）は要部斜視図、図２は建物ユニットを示し、（Ａ）は正面図、（Ｂ）は側面図、（Ｃ）は底面図、図３は柱の柱脚と床梁と床梁小片の接合部を示す平面図、図４は図３のＩＶ−ＩＶ線に沿う矢視図、図５は図３のＶ−Ｖ線に沿う矢視図、図６は補強板の取付方法を示す模式図である。
【００１５】
建物ユニット１は、図１、図２に示す如く、左右上下に隣接設置される不図示の他の建物ユニットとともにユニット建物を構成し、そのユニット建物における引込玄関（又は車庫）を形成する。
【００１６】
建物ユニット１は、角鋼管製柱１０とＣ形鋼製床梁２０とＣ形鋼製天井梁３０の骨組構造体からなり、相対する２本の柱１０、１０をそれぞれ含む複数の面（本実施形態では４面）のうちの１つの面を床梁２０が除去された床梁切除面２とし、床梁切除面２で相対する柱１０、１０の各柱脚に床梁小片４０を突設している。本実施形態の建物ユニット１は、４本の柱１０を有し、床梁切除面２を除く３つの面において相対する柱１０、１０の各柱脚を床梁２０でつなぎ、床梁切除面２を含む４つの面において相対する柱１０、１０の各柱頭を天井梁３０でつないでいる。
【００１７】
建物ユニット１は、床梁２０と床梁小片４０が固定される位置に予め設置された基礎３の上に据付けられ、基礎３に植設されているアンカーボルト４で建物ユニット１の柱１０、床梁２０、床梁小片４０を固定する。
【００１８】
建物ユニット１は、柱１０の柱脚に対し、床梁２０、床梁小片４０を以下の如くに接合している。床梁２０は、柱１０の柱脚の一面に溶接されたＣ形断面のジョイントピース２１のＣ形断面内に抱持される状態で、ジョイントピース２１に溶接される。床梁２０は、相対する柱１０に溶接されているジョイントピース２１に掛け渡される。床梁小片４０は、柱１０の柱脚の一面に溶接されたＣ形断面のジョイントピース４１のＣ形断面内に抱持される状態で、ジョイントピース４１に溶接される。床梁小片４０は、柱１０に溶接されたジョイントピース４１の端面内に設けられ、床梁小片４０とジョイントピース４１の端面は面一をなす。
【００１９】
しかるに、建物ユニット１の基礎３に対する固定構造にあっては、図３〜図５に示す如く、床梁切除面２で相対する柱１０の各柱脚に接合されている床梁小片４０の下フランジと、床梁小片４０に交差するように当該柱脚に接合されている床梁２０の下フランジとを、基礎３に植設してあるアンカーボルト４Ａ、４Ｂによって該基礎３に接合する。このとき、アンカーボルト４Ａは、ジョイントピース４１、床梁小片４０の下フランジ、床梁小片４０の下フランジの上に配置された基礎プレート４２に挿通され、それらをナット４３で締結する。アンカーボルト４Ｂは、ジョイントピース２１、床梁２０の下フランジ、床梁２０の下フランジの上に配置された基礎プレート２２に挿通され、それらをナット２３で締結する。
【００２０】
また、床梁切除面２で相対する柱１０の各柱脚に接合された床梁小片４０と床梁２０は、それらの上下のフランジを開き止めの補強板４４、４５、２４でつながれる。補強板４４はジョイントピース４１の柱１０に溶接されている基端部で、ジョイントピース４１の上下のフランジの内側面に溶接される。補強板４５は床梁小片及びジョイントピース４１の先端部で、床梁小片４０の上下のフランジの内側面に溶接される。補強板２４はジョイントピース２１の柱１０に溶接されている基端部で、ジョイントピース２１の上下のフランジの内側面に溶接される。
【００２１】
補強板４４のジョイントピース４１に対する溶接構造（補強板４５、２４も同じ）としては、図６（Ａ）に示す如く、補強板４４の両端面に開先を設ける突合せ溶接、図６（Ｂ）に示す如く、補強板４４の両端面をジョイントピース４１の上下のフランジの内側面に直交させるすみ肉溶接、図６（Ｃ）に示す如く、補強板４４の両端部の曲げ加工面をジョイントピース４１の上下のフランジの内側面に当てる突合せ溶接、図６（Ｄ）に示す如く、補強板４４の一端部をジョイントピース４１の上フランジの内側面に溶接した当て板４１Ａに当て、補強板４４の一端部とジョイントピース４１の上フランジの内側面とを溶接する等を採用できる。
【００２２】
また、床梁切除面２で相対する柱１０の各柱脚に接合された床梁小片４０の端面には、端板４６が溶接される。端板４６は、建物ユニット１の輸送時に相対する床梁小片４０同士をつなぐ仮梁取付用ボルト孔４６Ａを有する。
【００２３】
建物ユニット１にあっては、床梁２０が除去された床梁切除面２を引込玄関（又は車庫）の出入口に供される。
【００２４】
本実施形態によれば以下の作用がある。
▲１▼建物ユニット１の床梁切除面２で、相対する柱１０の柱脚の基礎３に対する固定を、該柱脚に交差状に設けられている床梁小片４０と床梁２０の両方において行なうことにより、該柱脚の基礎３に対する固定構造が強化される。
【００２５】
▲２▼上述▲１▼の基礎３に固定される床梁小片４０と床梁２０の上下のフランジを開き止めの補強板４４、４５、２４でつないだことにより、床梁小片４０と床梁２０の断面強度が補強され、該柱脚の基礎３に対する固定構造が一層強化される。
【００２６】
▲３▼上述▲１▼の基礎３に固定される床梁小片４０の端面に端板４６を接合したことにより、床梁小片４０の断面強度が補強され、該柱脚の基礎３に対する固定構造が一層強化される。
【００２７】
▲４▼上述▲１▼〜▲３▼により、建物ユニット１の床梁切除面２に沿う水平力に対する強度が向上する。
【００２８】
▲５▼建物ユニット１を引込玄関や車庫に用い、床梁切除面２を出入口としての開口とするとき、該床梁切除面２にサブラーメン等の補強部材を付加できなくても、上述▲１▼、▲２▼、▲３▼により、該建物ユニット１の構造耐力を向上できる。
【００２９】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の建物ユニットの骨組構造体は天井梁を有することを必須としない。また、本発明の建物ユニットは、相対する２つの面をともに床梁切除面とするものでも良い。
【００３０】
【発明の効果】
本発明によれば、建物ユニットの床梁切除面で、相対する柱の柱脚の基礎に対する固定構造を強化し、床梁切除面に沿う水平力に対する強度を向上することができる。
【図面の簡単な説明】
【図１】図１は建物ユニットを示し、（Ａ）は全体模式斜視図、（Ｂ）は要部斜視図である。
【図２】図２は建物ユニットを示し、（Ａ）は正面図、（Ｂ）は側面図、（Ｃ）は底面図である。
【図３】図３は柱の柱脚と床梁と床梁小片の接合部を示す平面図である。
【図４】図４は図３のＩＶ−ＩＶ線に沿う矢視図である。
【図５】図５は図３のＶ−Ｖ線に沿う矢視図である。
【図６】図６は補強板の取付方法を示す模式図である。
【符号の説明】
１  建物ユニット
２  床梁切除面
３  基礎
１０  柱
２０  床梁
２４  補強板
３０  天井梁
４０  床梁小片
４４、４５  補強板
４６  端板
【図１】
2004156352.tif 000003
【図２】
2004156352.tif 000004
【図３】
2004156352.tif 000005
【図４】
2004156352.tif 000006
【図５】
2004156352.tif 000007
【図６】
2004156352.tif 000008